(57)【要約】【課題】貫通部遮蔽構造の実用性を効果的に高める。【解決手段】遮蔽具としてゴム材製の短冊状シート部材８を用い、このゴム材製の短冊状シート部材８を垂下状態でスリット状開口７の延び方向に並べて配置するのに、各短冊状シート部材８をスリット状開口７の開口面に沿う姿勢でスリット状開口７の上縁部から垂下するとともに、各短冊状シート部材８の横幅方向における左右一方側部分の表面に、その左右一方側の隣に位置する短冊状シート部材８の横幅方向における左右他方側部分の裏面が重なる状態にして、それら短冊状シート部材８をスリット状開口７の延び方向に並べて配置する。【選択図】図３
2014144400.tif 000002
【特許請求の範囲】
【請求項１】
貫通部材を横向き姿勢で貫通させる開口を、水平方向に延びる又は水平方向に対して傾斜する斜め方向に延びるスリット状開口にし、
このスリット状開口の上縁部から垂下する遮蔽具を前記スリット状開口の延び方向に密に並べて配置することで、前記スリット状開口を前記遮蔽具により遮蔽した状態にするとともに、
この遮蔽状態において、前記スリット状開口に貫通させた前記貫通部材を、前記遮蔽具に対する当接により前記遮蔽具を順次に押し開きながら前記スリット状開口の延び方向に移動させる貫通部遮蔽構造であって、
前記遮蔽具としてゴム材製の短冊状シート部材を用い、
このゴム材製の短冊状シート部材を垂下状態で前記スリット状開口の延び方向に並べて配置するのに、
各短冊状シート部材を前記スリット状開口の開口面に沿う姿勢で前記スリット状開口の上縁部から垂下するとともに、各短冊状シート部材の横幅方向における左右一方側部分の表面に、その左右一方側の隣に位置する短冊状シート部材の横幅方向における左右他方側部分の裏面が重なる状態にして、それら短冊状シート部材を前記スリット状開口の延び方向に並べて配置してある貫通部遮蔽構造。
【請求項２】
ゴム材製の前記短冊状シート部材の主素材をクロロプレンゴムにしてある請求項１記載の貫通部遮蔽構造。
【請求項３】
ゴム材製の前記短冊状シート部材を樹脂製繊維により補強してある請求項１又は２記載の貫通部遮蔽構造。
【請求項４】
互いに隣り合う前記短冊状シート部材の横幅方向における重なり代を、前記短冊状シート部材の横幅寸法の１／２にしてある請求項１〜３のいずれか１項に記載の貫通部遮蔽構造。
【請求項５】
前記短冊状シート部材の厚みが０．７〜２．０ｍｍの範囲内である請求項１〜４のいずれか１項に記載の貫通部遮蔽構造。
【請求項６】
前記短冊状シート部材の横幅寸法と垂下長との比が１：２〜１：８である請求項１〜５のいずれか１項に記載の貫通部遮蔽構造。
【発明の詳細な説明】
【技術分野】
【０００１】
本発明は貫通部遮蔽構造に関し、
詳しくは、貫通部材を横向き姿勢で貫通させる開口を、水平方向に延びる又は水平方向に対して傾斜する斜め方向に延びるスリット状開口にし、このスリット状開口の上縁部から垂下する遮蔽具を前記スリット状開口の延び方向に密に並べて配置することで、前記スリット状開口を前記遮蔽具により遮蔽した状態にするとともに、この遮蔽状態において、前記スリット状開口に貫通させた前記貫通部材を、前記遮蔽具に対する当接により前記遮蔽具を順次に押し開きながら前記スリット状開口の延び方向に移動させる貫通部遮蔽構造に関する。
【０００２】
即ち、この種の貫通部遮蔽構造は、横向き姿勢でスリット状開口に貫通させた貫通部材をスリット状開口の延び方向に移動させることを可能にしながら、遮蔽具によるスリット状開口の遮蔽により塵埃やミストなどの他物がスリット状開口を通過することを防止するものである。
【背景技術】
【０００３】
従来、この種の貫通部遮蔽構造を構成するのに、樹脂製や金属製のブラシを遮蔽具として垂下状態でスリット状開口の延び方向に並置したものがある。
【０００４】
また、樹脂製の布材やシート材を遮蔽具として垂下状態でスリット状開口の延び方向に並置したもの、あるいは、特許文献１に見られるように、金属箔を遮蔽具として垂下状態でスリット状開口の延び方向に並置したものもある。
【０００５】
さらにまた、特許文献２に見られるように、可動板を遮蔽具として垂下状態でスリット状開口の延び方向に並置し、隣り合う２枚の可動板をリンク機構により連動させるようにしたものもある。
【先行技術文献】
【特許文献】
【０００６】
【特許文献１】ＵＳ２００３／０１４０５１６  Ａ１
【特許文献２】特開２００７−２４５１３７
【発明の概要】
【発明が解決しようとする課題】
【０００７】
しかし、樹脂製や金属製のブラシを遮蔽具とするものでは、
・それらブラシによるスリット状開口の遮蔽で得られる気密性や水密性が低い
・移動する貫通部材の当接に対してブラシの耐久性が低くて破断し易く、ブラシの頻繁な交換が必要になる
・貫通部材の繰り返しの当接でブラシに形状的なクセが付き易くてクセが付くと元の形状に戻らず、そのことでスリット状開口の遮蔽が不完全になり易い
・破断したブラシ片がごみになる
などの問題があった。
【０００８】
また、樹脂製の布材やシート材を遮蔽具とするものでは、
・移動する貫通部材の当接に対する耐久性が低くて破断し易く、頻繁な交換が必要になる
・貫通部材の繰り返しの当接で形状的なクセが付き易くてクセが付くと元の形状に戻らず、そのことでスリット状開口の遮蔽が不完全になり易い
などの問題があった。
【０００９】
さらに、金属箔を遮蔽具とするものでは、
・移動する貫通部材の当接に対して金属箔の耐久性が低くて破断し易く、頻繁な交換が必要になる
・隣り合う金属箔どうしの重なりの関係で、貫通部材の移動を一方向きにしか許容することができない
・金属箔が損傷したとき、その損傷した金属箔が障害となり貫通部材の移動に支障を来し易い
・金属箔の製作や組み付けに高い精度が要求される
などの問題があった。
【００１０】
そしてまた、隣り合うものをリンク機構により連動させる可動板を遮蔽具とするものでは、
・可動板が損傷したとき、その損傷した可動板が障害となり貫通部材の移動に支障を来し易い
・スリット状開口が水平方向に対して傾斜した斜め方向に延びる部分では、リンク機構により連結された可動板どうしが円滑に開閉動作せず使用することができない
・可動板の製作や組み付けに高い精度が要求される
などの問題があった。
【００１１】
この実情に鑑み、本発明の主たる課題は、垂下遮蔽具の合理化により上記の如き問題を効果的に解消する点にある。
【課題を解決するための手段】
【００１２】
本発明の第１特徴構成は貫通部遮蔽構造に係り、その特徴は、
貫通部材を横向き姿勢で貫通させる開口を、水平方向に延びる又は水平方向に対して傾斜する斜め方向に延びるスリット状開口にし、
このスリット状開口の上縁部から垂下する遮蔽具を前記スリット状開口の延び方向に密に並べて配置することで、前記スリット状開口を前記遮蔽具により遮蔽した状態にするとともに、
この遮蔽状態において、前記スリット状開口に貫通させた前記貫通部材を、前記遮蔽具に対する当接により前記遮蔽具を順次に押し開きながら前記スリット状開口の延び方向に移動させる貫通部遮蔽構造であって、
前記遮蔽具としてゴム材製の短冊状シート部材を用い、
このゴム材製の短冊状シート部材を垂下状態で前記スリット状開口の延び方向に並べて配置するのに、
各短冊状シート部材を前記スリット状開口の開口面に沿う姿勢で前記スリット状開口の上縁部から垂下するとともに、各短冊状シート部材の横幅方向における左右一方側部分の表面に、その左右一方側の隣に位置する短冊状シート部材の横幅方向における左右他方側部分の裏面が重なる状態にして、それら短冊状シート部材を前記スリット状開口の延び方向に並べて配置してある点にある。
【００１３】
この構成によれば、図５に示すように、移動する貫通部材６ａの当接に対して遮蔽具としてのゴム材製の短冊状シート部材８を、ゴム材が備える柔軟性と弾性とにより、しなやかにねじれ変形させて面接触状態ないしそれに近い接触状態（即ち、局部的に大きな力を受けない状態）で貫通部材６ａに接触させることができ、これにより、移動する貫通部材６ａと短冊状シート部材８との摺接に伴う摩擦抵抗を軽減した状態で、貫通部材６ａの移動に伴い短冊状シート部材８を貫通部材６ａにより円滑に持ち上げさせて貫通部材６ａを円滑に通過移動させることができる。
【００１４】
そして、この摩擦抵抗の軽減による円滑化と、ゴム材が備える弾性により短冊状シート部材８そのものが引きちぎりに対して高い耐性を備えることとが相俟って、短冊状シート部材８の破損を効果的に防止することができ、これにより、短冊状シート部材８の遮蔽具としての耐久性を高めることができる。
【００１５】
また、各短冊状シート部材８の横幅方向における左右一方側部分の表面に、その左右一方側の隣に位置する短冊状シート部材８の横幅方向における左右他方側部分の裏面が重なる状態にしてあるから、貫通部材６ａとの当接により先にねじれ変形して持ち上がった短冊状シート部材８を案内として、隣に位置する次の短冊状シート部材８のねじれ変形及び持ち上がりが連鎖的に円滑に行われ、このことからも、貫通部材６ａの通過移動を円滑化するとともに短冊状シート部材８の遮蔽具としての耐久性を高めることができる。
【００１６】
さらに、この重ね合わせ状態にして短冊状シート部材８を並置することで、スリット状開口７を気密性や水密性の高い状態で良好に遮蔽することができるとともに、貫通部材６ａをスリット状開口７の延び方向において一方向き及び逆向きのいずれにも円滑に移動させることができ、また、スリット状開口７が水平方向に対して傾斜した斜め方向に延びる部分でも、スリット状開口７を良好に遮蔽した状態で貫通部材６ａを一方向き及び逆向きのいずれにも円滑に移動させることができる。
【００１７】
そしてまた、貫通部材６ａの繰り返しの当接に対してもゴム材が備える弾性により短冊状シート部材８に形状的なクセが付きにくく、このことからもスリット状開口７を長期にわたり良好に遮蔽することができる。
【００１８】
しかも、ゴム材製の短冊状シート部材８を垂下状態で並置するだけであるから、製作及び組み付けを容易にすることができるとともに、コストも安価にすることができ、また、ゴム材製の短冊状シート部材８であるから、仮に、それが破断し損傷したとしても貫通部材６ａの移動に支障を来すことがない。
【００１９】
即ち、これらの点で前述した従来の貫通部遮蔽構造に比べ実用性の面で一層優れた貫通部遮蔽構造とすることができる。
【００２０】
本発明の第２特徴構成は、第１特徴構成の実施に好適な実施形態を特定するものであり、その特徴は、
ゴム材製の前記短冊状シート部材の主素材をクロロプレンゴムにしてある点にある。
【００２１】
この構成によれば、短冊状シート部材の遮蔽具としての耐久性を高く確保しながら、貫通部材の繰り返しの当接よる短冊状シート部材の形状的なクセ付きを一層効果的に防止することができる。
【００２２】
本発明の第３特徴構成は、第１又は第２特徴構成の実施に好適な実施形態を特定するものであり、その特徴は、
ゴム材製の前記短冊状シート部材を樹脂製繊維により補強してある点にある。
【００２３】
この構成によれば、貫通部材の当接に対して短冊状シート部材をしなやかにねじれ変形させる機能を維持しながら、短冊状シート部材の遮蔽具としての耐久性を一層高めることができる。
【００２４】
本発明の第４特徴構成は、第１〜第３特徴構成のいずれかの実施に好適な実施形態を特定するものであり、その特徴は、
互いに隣り合う前記短冊状シート部材の横幅方向における重なり代を、前記短冊状シート部材の横幅寸法の１／２にしてある点にある。
【００２５】
この構成によれば、貫通部材との当接によりねじれ変形して持ち上がった短冊状シート部材を隣に位置する次の短冊状シート部材に対し効果的に案内機能させることができて、次の短冊状シート部材の連鎖的なねじれ変形及び持ち上がりを効果的に円滑化することができる。
【００２６】
本発明の第５特徴構成は、第１〜第４特徴構成のいずれかの実施に好適な実施形態を特定するものであり、その特徴は、
前記短冊状シート部材の厚みが０．７〜２．０ｍｍの範囲内である点にある。
【００２７】
この構成によれば、短冊状シート部材の遮蔽具としての耐久性を高く確保しながら、貫通部材の当接に対する短冊状シート部材のしなやかなねじれ変形及び持ち上がりを一層効果的に円滑化することができる。
【００２８】
本発明の第６特徴構成は、第１〜第５特徴構成のいずれかの実施に好適な実施形態を特定するものであり、その特徴は、
前記短冊状シート部材の横幅寸法と垂下長との比が１：２〜１：８である点にある。
【００２９】
この構成によれば、貫通部材との当接により短冊状シート部材を次々と連鎖的にねじれ変形させながら持ち上がらせて貫通部材を通過移動させる機能を一層効果的に高めることができる。
【図面の簡単な説明】
【００３０】
【図１】電着塗装設備における搬送設備の横断面図
【図２】同搬送設備の概略側面図
【図３】水平搬送部分における短冊状シート部材の施設構造を示す側面図
【図４】傾斜搬送部分における短冊状シート部材の施設構造を示す側面図
【図５】短冊状シート部材の開き動作を示す概略斜視図
【発明を実施するための形態】
【００３１】
図１は電着塗装設備において塗装対象の被塗物１（例えば自動車ボディなど）を搬送する搬送設備を示し、この搬送設備では、コンベア２を被塗物搬送経路Ｌの上方で被塗物搬送経路Ｌに沿わせて施設し、被塗物１を吊り下げるハンガー３を搬送方向に間隔をあけてコンベア２に多数取り付けてある。
【００３２】
被塗物搬送経路Ｌ及びコンベア２は、各種の前処理槽や各種のスプレー装置及び電着塗装槽にわたらせて施設してあり、このため図２に示す如く、被塗物搬送経路Ｌ及びそれに平行するコンベア２には、水平に延びる水平搬送部分Ｌｓ，２ｓだけでなく、斜め下向きに延びる下降傾斜搬送部分Ｌｄ，２ｄ及び斜め上向きに延びる上昇傾斜搬送部分Ｌｕ，２ｕがある。
【００３３】
コンベア２は底部及び両側部を室壁４により囲んだ搬送機室５に収容してあり、この搬送機室５はコンベア２とともに被塗物搬送経路Ｌに沿って連続に延びるものにしてある。
【００３４】
搬送機室５を形成する室壁４のうち一方の側壁４ａには、ハンガー３における吊り下げシャフト６のコンベア２に対する連結部である横向き姿勢のシャフト上端部６ａを貫通させる開口７を形成してあり、この開口７はコンベア２に沿って延びるスリット状開口にしてある。
【００３５】
つまり、貫通部材としての吊り下げシャフト上端部６ａは、スリット状開口７に対する貫通状態でコンベア２によるハンガー３の搬送移動に伴いスリット状開口７に沿って移動させる。
【００３６】
このスリット状開口７の上縁部（即ち、スリット状開口７の上方に位置する側壁部分４ａの下縁部）には、遮蔽具としてゴム材製の短冊状シート部材８を、垂下状態でスリット状開口７の延び方向に密に並べて取り付けてある。
【００３７】
これら遮蔽具としての短冊状シート部材８は、その下端がスリット状開口７の下方に位置する側壁部分４ａの上縁部にわたる長さを有し、これら短冊状シート部材８によりスリット状開口７の全体を遮蔽することで、電着塗装設備において発生する蒸気や各種ミストがスリット状開口７を通じて搬送機室５に侵入することを防止する。
【００３８】
また、この遮蔽状態において、スリット状開口７に貫通させた吊り下げシャフト上端部６ａは、垂下状態の短冊状シート部材８に対し順次当接させて短冊状シート部材８を押し開きながらスリット状開口７の延び方向に移動させる。
【００３９】
ゴム材製の短冊状シート部材８を垂下状態でスリット状開口７の延び方向に並べて配置するのに、コンベア２の水平搬送部分２ｓについては図３に示すように、また、コンベア２の傾斜搬送部分２ｄ，２ｕについては図４に示すように、それら水平搬送部分２ｓ及び傾斜搬送部分２ｄ，２ｕの夫々において、各短冊状シート部材８は、スリット状開口７の開口面に沿う姿勢にして、その上端部をスリット状開口７の上方に位置する側壁部分４ａの下縁部に対しボルト９により連結することで、スリット状開口７の上縁部から垂下させてある。
【００４０】
また、各短冊状シート部材８の横幅方向における左右一方側部分の表面に、その左右一方側の隣に位置する短冊状シート部材８の横幅方向における左右他方側部分の裏面が重なる状態にして、それら短冊状シート部材８をスリット状開口７の延び方向に並べて配置してあり、互いに隣り合う短冊状シート部材８の横幅方向における重なり代ｅは、短冊状シート部材８の横幅寸法ｗの１／２（ｅ＝ｗ／２）にしてある。
【００４１】
即ち、垂下状態で装備する遮蔽具としてゴム材製の短冊状シート部材８を採用することで、図５に示す如く、移動する吊り下げシャフト上端部６ａの当接に対し短冊状シート部材８を、ゴム材が備える柔軟性と弾性とにより、しなやかにねじれ変形させて面接触状態ないしそれに近い接触状態で吊り下げシャフト上端部６ａに接触させ、これにより、移動する吊り下げシャフト上端部６ａと短冊状シート部材８との摺接に伴う摩擦抵抗を軽減した状態で、吊り下げシャフト上端部６ａの移動に伴い短冊状シート材８を吊り下げシャフト上端部６ａにより順次円滑に持ち上げさせて吊り下げシャフト上端部６ａを通過移動させるようにしてある。
【００４２】
また、吊り下げシャフト上端部６ａの繰り返しの当接よる短冊状シート部材８の形状的なクセ付きも効果的に防止できるようにし、これにより、短冊状シート部材８の形状的なクセ付きのためにスリット状開口７の遮蔽が不完全になるのを防止する。
【００４３】
そしてまた、ゴム材製の短冊状シート部材８を上記の如く横幅方向において重ね合わせた状態で並置することにより、吊り下げシャフト上端部６ａとの当接により先にねじれ変形して持ち上がった短冊状シート部材８を案内として、隣に位置する次の短冊状シート部材８のねじれ変形及び持ち上がりが連鎖的に円滑に行われるようにするとともに、コンベア２による被塗物搬送の搬送向きの切り換えに伴い吊り下げシャフト上端部６ａを、コンベア２の水平搬送部分２ｓ及び傾斜搬送部分２ｄ，２ｕの夫々において一方向き及び逆向きのいずれにも円滑に移動させることができるようにしてある。
【００４４】
なお、本例においてゴム材製の短冊状シート部材８は、クロロプレンゴム（ネオプレン）を主素材とするとともに、樹脂製繊維による補強を施したものにしてある。
【００４５】
ゴム材製の短冊状シート部材８の厚みｔの好適範囲としては０．７〜２．０ｍｍの範囲（特に１ｍｍ程度）を挙げることができ、ゴム材製の短冊状シート部材８の横幅寸法ｗと垂下長ｄの比の好適範囲としては１：２〜１：８の範囲挙げることができ。
【００４６】
本例では、吊り下げシャフト上端部６ａの直径Ｄが１１４ｍｍであるのに対して、ゴム材製の短冊状シート部材８の厚みｔ，横幅寸法ｗ、垂下長ｄの夫々をｔ＝１ｍｍ，ｗ＝１００〜２００ｍｍ，ｄ＝６００ｍｍにしてある。
【００４７】
ゴム材製の短冊状シート部材８を垂下状態でスリット状開口７の上縁部に取り付ける貫通部遮蔽構造の施設方法としては、複数の短冊状シート部材８を上記の重ね合わせ状態で並べて予め一体化したシート部材ユニットとして、ユニットの横幅寸法ｕｗが５００ｍｍ〜１０００ｍｍ程度の手作業での持ち運びが可能なシート部材ユニットを必要数だけ予め作製し、このシート部材ユニットを順次、取付け箇所に運んでスリット状開口７の上縁部に並べて取り付けるようにすれば、多数の短冊状シート部材８の取付け作業を容易かつ能率良く行うことができる。
【００４８】
〔別実施形態〕
次に本発明の別の実施形態を列記する。
【００４９】
短冊状シート部材８を形成する具体的なゴム材としては、クロロプレンゴムの他にも、貫通部材６ａの当接に対してしなやかにねじれ変形させることができるものであれば、種々のゴム材（特に合成ゴム材）を採用することができる。
【００５０】
ゴム材製の短冊状シート部材８を樹脂製繊維により補強したものにする場合、その補強用の樹脂製繊維にも種々の材質のものを採用することができ、また、ゴム材の材質等によっては、短冊状シート部材８を樹脂製繊維による補強の施しがないものにしてもよい。
【００５１】
隣り合う短冊状シート部材８を前記の重ね合わせ状態で並置するのに、その重なり代ｅは短冊状シート部材８の横幅寸法ｗの１／２程度にするのが望ましいが、場合によっては、その重なり代ｅを短冊状シート部材８の横幅寸法ｗの１／２より大きい寸法あるいは小さい寸法にしてもよい。
【００５２】
スリット状開口７に貫通させた状態で移動させる貫通部材６ａは、搬送装置におけるハンガー３のシャフト部分に限られるものではなく、スリット状開口７に貫通させた状態で移動させる必要のあるものであれば、どのようなものであってもよい。
【産業上の利用可能性】
【００５３】
本発明による貫通部遮蔽構造は、各種分野における種々の用途の貫通部に対して適用することができる。
【符号の説明】
【００５４】
６ａ              貫通部材
７                スリット状開口
８                ゴム材製の短冊状シート部材（遮蔽具）
ｅ                重なり代
ｔ                厚み
ｗ                横幅寸法
ｄ                垂下長
【図１】
2014144400.tif 000003
【図２】
2014144400.tif 000004
【図３】
2014144400.tif 000005
【図４】
2014144400.tif 000006
【図５】
2014144400.tif 000007